(57)【要約】【課題】温度・湿度面に加えて、美的観点から快適な室内環境を創造する。即ち、夏に除湿と放射冷房を、冬に加湿と放射暖房をそれぞれ行うとともに、放射の強さを調節可能とし、更に、放射冷暖房装置に建築インテリアとしての美観を付加することを可能とする。【解決手段】室内に設置可能で且つ熱媒供給手段から供給される液状熱媒体を内部に流通可能な１以上の熱交換チューブを含む熱交換器を備え、熱交換及び放射により冷房及び／又は暖房を行うことが可能な放射型空調装置で、熱交換器の表面を覆うように網状のカバーを備えた。カバーの上部においてカバーに加湿用の水を供給する給水管を備えても良い。【選択図】図４
2014020648.tif 000002
【特許請求の範囲】
【請求項１】
空調対象である室内に設置可能で且つ熱媒供給手段から供給される液体状の熱媒体を内部に流通可能な１以上の熱交換チューブを含む熱交換器を備え、
当該熱交換器と室内空気との間の熱交換および当該熱交換器による放射により、冷房および暖房のうちの一方または双方を行うことが可能な放射型空調装置であって、
前記熱交換器と間隔を隔てて略垂直に起立するように設置され前記熱交換器の表面を覆う網状のカバーを備えた
ことを特徴とする放射型空調装置。
【請求項２】
前記カバーを金属材料により形成した
請求項１に記載の放射型空調装置。
【請求項３】
前記カバーの上部位置において前記カバーに対して加湿用の水を供給する給水管をさらに備えた
請求項１または２に記載の放射型空調装置。
【請求項４】
前記カバーを折り畳み可能に構成するとともに、
当該カバーを、移動可能に前記熱交換器の前方に吊り下げ支持するレールをさらに備え、
これにより、前記熱交換器を覆った閉成状態と、当該放射型空調装置の側端部に束ねるように前記カバーを折り畳むことにより前記熱交換器を露出させた開放状態との間で、前記カバーを開閉可能とした
請求項１から３のいずれか一項に記載の放射型空調装置。
【請求項５】
前記熱交換チューブは、扁平な板状の金属管である
請求項１から４のいずれか一項に記載の放射型空調装置。
【請求項６】
前記熱交換チューブは、前記熱媒体を内部に流通可能な金属パイプと、当該金属パイプを取り囲むように当該金属パイプの外面に固定された網状の金属線群とからなる
請求項１から４のいずれか一項に記載の放射型空調装置。
【発明の詳細な説明】
【技術分野】
【０００１】
本発明は、除湿加湿型放射冷暖房装置に係り、特に、室内に設置した熱交換器に冷水を通して除湿放射冷房を行い、また温水を通して放射暖房を行う除湿型放射冷暖房装置に、気化式加湿機能と放射の調節機能と建築美観的な要素を加えた冷暖房装置に関する。
【背景技術】
【０００２】
機械送風による強制気流を生じることがなく、在室者に快適な室内環境を提供できる放射型の冷暖房装置（空調装置）を出願人は長年に亘り製造販売している。この装置は、建物内に設置したパネル状の熱交換器（熱交換チューブ）に対して熱源から温水を、あるいは冷熱源から冷水を供給することによって熱交換チューブの表面を通じて室内空気と熱交換を行い、また放射（輻射）と自然対流による冷暖房を行うものである。
【０００３】
またこの種の装置では、冷房運転時に熱交換チューブの表面に結露を生じさせ、これを集めて排水することにより除湿を同時に行うことも可能であり、これにより相対湿度の上昇を防ぎ、室内の快適性を維持することが出来る。
【０００４】
なお、上記のような空調装置では、装置全体として熱交換チューブの表面積を増大させ熱交換および放射による冷暖房効率を高めるため、当該チューブを複数並べて配置した構造を採用することが多いが、本出願における説明では、これら並べて配置した複数の熱交換チューブ全体を「熱交換器」と称する。また、熱交換チューブは、単に「チューブ」と称することがある。
【０００５】
また、このような空調装置に関連するものとして下記特許文献がある。
【先行技術文献】
【特許文献】
【０００６】
【特許文献１】特許第３９１２５４１号公報
【特許文献２】特許第４０８３１７５号公報
【特許文献３】特開２００９−３０８２６号公報
【発明の概要】
【発明が解決しようとする課題】
【０００７】
ところで、前記従来の装置では、冷房運転時にチューブ表面に結露した水が、チューブ表面を流れ落ちる途中で水滴として周囲に飛び散ることがあった。
【０００８】
また、例えば床面近くから天井近くまで延びる多数のチューブを整列させた熱交換器は、壁全面や開口部に間仕切りのように設置するなど一般にその面積が大きく高い冷暖房能力を備える一方で、放射による冷暖房効果が人によっては肌に強過ぎると感じられる場合もあった。
【０００９】
さらに、この種の装置では、電気ヒータなどと同様に室内空気中への水分補給はなされないから、冬季の暖房運転時には相対湿度が低下し、室内の空気が乾燥しがちとなることがある。
【００１０】
また、この種の装置は、建築インテリアとしての側面を有し、上述のように例えば壁全体を覆うように設置されたり室内空間を仕切る間仕切りとしても機能するなど、室内空間に占める割合（大きさ）が大きいことから、居住スペースや商業スペースなどの空間デザインを行う場合にこれらに与える影響も比較的大きい。ところが従来、本装置は、空調機能面から把握された装置単体として提供されるのが通常で、室内空間を構成するデザイン要素しての機能は必ずしも十分に発揮されていなかった。
【００１１】
したがって、本発明の目的は、結露水の水跳ねを防ぐとともに、熱交換チューブ表面からの放射を和らげ、更には、暖房運転時に加湿を行うことを可能とすることにより、年間を通じて温度と湿度両面でより一層快適な室内環境を実現する点にあり、さらに室内空間をデザインする建築インテリア要素としての機能をより一層発揮させることにある。
【課題を解決するための手段】
【００１２】
前記課題を解決し目的を達成するため、本発明に係る放射型空調装置は、空調対象である室内に設置可能で且つ熱媒供給手段から供給される液体状の熱媒体を内部に流通可能な１以上の熱交換チューブを含む熱交換器を備え、当該熱交換器と室内空気との間の熱交換および当該熱交換器による放射により、冷房および暖房のうちの一方または双方を行うことが可能な放射型空調装置であって、前記熱交換器と間隔を隔てて略垂直に起立するように設置され前記熱交換器の表面を覆う網状のカバーを備えた。
【００１３】
本発明の空調装置では、冷水や温水などの液体状の熱媒体を内部に流通可能な１以上の熱交換チューブを含む熱交換器を室内に設置し、この熱交換器を通じて、室内空気との熱交換、自然対流および放射（輻射）により冷暖房を行うが、当該熱交換器の表面を覆うようにカバーを備える。このカバーは、網状（メッシュ状ないし格子状）の構造を有し、熱交換器と室内空間との間の空気の流通を許容する一方で、熱交換器を覆って冷房運転時にチューブ表面に結露した水が室内側に飛び散ることを防ぐ機能を果たす。
【００１４】
また、熱交換器による放射（暖房運転時のチューブからの輻射熱の放出、ならびに、冷房運転時におけるチューブを通じてのいわゆる冷輻射）を抑制することにより当該熱交換器の室内への放射を和らげる機能を営む。
【００１５】
なお、本発明では、冷房と暖房の双方を行うことが出来る冷暖房装置、冷房だけを行うことが可能な冷房装置、ならびに、暖房だけを行うことが可能な暖房装置のいずれをも構成することが可能であり、本発明に言う「空調装置」にはこれら冷暖房装置、冷房装置および暖房装置が含まれるが、以下の説明では冷房と暖房の双方を行うことが可能な冷暖房装置について説明する。
【００１６】
また、本発明の空調装置で使用する熱媒体、すなわち、熱媒体供給手段から熱交換器に供給し熱交換チューブ内を流通させる流体は、典型的には、水であり、暖房用の熱源としては温水、冷房用の冷熱源（冷媒）としては水道水や地下水を利用した冷水を使用することが可能である。ただし、本発明に言う熱媒体はこれらに限定されるものではなく、水以外の流体であっても良いし、当該流体には不凍液などが混合されていても勿論構わない。さらに、本発明に言う熱媒供給手段は、熱媒体の供給の元となる各種の熱源や冷熱源であって良く、例えば、ボイラーや井戸水の取水設備、クーリングタワー（冷却塔）や冷却器など様々な熱源又は冷熱源用の機器・設備が含まれる。
【００１７】
一方、前記カバーは、熱伝導率の高い材料、例えば金属材料により形成することが好ましい。熱交換器（熱交換チューブ）による熱交換および放射を必要以上に抑制（過度に遮断）することがないようにするためである。また、本装置に加湿機能（次に述べる）を付加する場合に、熱交換器によってカバーを温め、加湿用の水の蒸発を促進する観点からも当該カバーを熱伝導率の高い金属材料で形成することが好ましい。さらに、当該カバーは、冷房時に結露水がかかることがあり、また暖房時に加湿用の水が供給されることがあるため、錆びにくい材料（例えばステンレス等）により構成し、あるいは、防錆処理を施しておくことが好ましい。
【００１８】
さらに、熱交換器の表面を覆う上記カバーを様々なデザインを施したものとすることが可能であるから、本装置のデザイン性（デザインの多様性）を高めることができ、室内空間を構成するデザイン要素（建築インテリア要素）としての機能を向上させることが出来る。
【００１９】
本発明の一態様（特に暖房が可能な冷暖房装置又は暖房装置を構成する場合）では、前記カバーの上部位置において前記カバーに対して加湿用の水を供給する給水管をさらに備える。加湿を可能とするためである。すなわち、当該給水管から前記カバーの上端部に供給した水は、熱交換器によって暖められたカバーを流れ落ちる間に蒸発し、室内空気中への水分の補給が可能となる。このような態様によれば、従来の放射型冷暖房装置（又は放射型暖房装置）に対して加湿機能を付加することが出来る。
【００２０】
給水管の配置位置は、カバーへの給水が可能な位置であれば特に限定されず、例えば、カバー上縁の上方位置（カバーに接触させず、カバー上縁から一定の間隔を隔てた上部位置）としても良いし、カバーの上縁部に接触させて配置しても良い。
【００２１】
また、給水管からカバーへの水の供給方法は、例えば、カバーの上縁に沿って水平に延びる給水管に開けた開口からカバーの上縁に向け水を滴下させても良いし、管表面全体から水がしみ出すように給水管を構成し、この給水管にカバーの上縁部を巻きつけることによりカバーに給水を行う等の方法によることも可能である。
【００２２】
本発明におけるカバーの固定は、例えば、壁や柱、梁、開口枠、天井、床などの建物構造物に適当な金具や支持具を使用して行えば良い。なお、本発明では、カバーを建物構造物以外のもの、例えば空調装置本体や配管、前記加湿用の給水管等に固定することを禁止するものではない。また当該カバーは、着脱自在に設置することも出来る。
【００２３】
さらに、当該カバーは、熱交換チューブの前面側だけでなく、後面側にも備えることがある。例えば空調装置（熱交換チューブ）を部屋の壁面に沿って配置するような場合には、チューブの前面（室内側）だけに当該カバーを備えれば良いが、例えば建物内に間仕切りのように空調装置（熱交換チューブ）を設置するような場合には、チューブの一方の面側だけでなく、他方の面側にもカバーを備えても良い。
【００２４】
また、カバーは固定式でなく、開閉可能な構造とすることも可能である。具体的には、前記カバーを折り畳み可能に構成するとともに、当該カバーを移動可能に熱交換器の前方に吊り下げ支持するレールをさらに備え、これにより、前記カバーを、当該空調装置の側端部に束ねるように折り畳んだ状態に出来るようにする。
【００２５】
このような態様によれば、当該カバーが熱交換器を覆った閉成状態と、空調装置の側端部に束ねるようにカバーを折り畳んで熱交換器を露出させた開放状態との間で、前記カバーを移動（開閉）可能とすることができ、例えば、冷暖房機能を高めたいときや、熱交換器のメンテナンスや清掃時にカバーを開放するなど、必要に応じてカバーを使用することが可能となり、当該空調装置の利便性を高めることが出来る。
【００２６】
また、実施形態として後に説明するように、前記熱交換チューブは、本発明の一態様では扁平な板状の金属管であり、本発明の別の一態様では、熱媒体を内部に流通可能な金属パイプと、当該金属パイプを取り囲むように当該金属パイプの外面に固定された網状の金属線群とからなる。
【発明の効果】
【００２７】
本発明によれば、結露水の水跳ねを防ぐとともに、熱交換チューブ表面からの放射を和らげ、更には、暖房運転時に加湿を行うことを可能とすることにより、年間を通じて温度と湿度両面でより一層快適な室内環境を実現することが出来る。さらに本発明によれば、単に冷暖房調湿機能を備えると言うだけでなく、室内空間のデザインに冷暖房装置を効果的に利用することが可能となる。
【００２８】
本発明の他の目的、特徴および利点は、図面に基づいて述べる以下の本発明の実施の形態の説明により明らかにする。なお、各図中、同一の符号は、同一又は相当部分を示す。
【図面の簡単な説明】
【００２９】
【図１】図１は、本発明の第１実施形態に係る空調装置（除湿加湿型放射冷暖房装置）を示す斜視図である。
【図２】図２は、前記第１実施形態に係る空調装置を背面側から見た断面図（図１のＡ−Ａ断面）である。
【図３】図３は、前記第１実施形態に係る空調装置を側面側から見た断面図（図１のＢ−Ｂ断面）である。
【図４】図４は、前記第１実施形態に係る空調装置の要部（熱交換器を支持する支持板や熱交換チューブに熱媒を供給する連結管等は省略）を概念的に示す斜視図である。
【図５Ａ】図５Ａは、前記第１実施形態に係る空調装置（冷房運転時）の要部を前記図４と同様に概念的に示す側面図である。
【図５Ｂ】図５Ｂは、前記第１実施形態に係る空調装置（暖房運転時）の要部を前記図４と同様に概念的に示す側面図である。
【図６】図６は、前記第１実施形態の空調装置（カバー）の上縁部（図４の符号Ｃ部分）を拡大して示す図である。
【図７】図７は、前記第１実施形態の空調装置における加湿用給水管を示す断面図（前記図５〜図６より拡大して示す）である。
【図８】図８は、前記第１実施形態の空調装置におけるカバーの別の構成例を示す図である。
【図９】図９は、前記第１実施形態の空調装置におけるカバーの更に別の構成例を示す図である。
【図１０】図１０は、前記第１実施形態の空調装置におけるカバーの更に別の構成例を示す図である。
【図１１】図１１は、前記第１実施形態の空調装置におけるカバーの更に別の構成例を示す図である。
【図１２】図１２は、前記第１実施形態の空調装置におけるカバーの更に別の構成例を示す図である。
【図１３】図１３は、前記第１実施形態の空調装置における加湿用給水管の別の構成例を示す図である。
【図１４】図１４は、前記図１３に示した加湿用給水管にカバーを固定した状態を示す断面図である。
【図１５】図１５は、前記第２実施形態に係る空調装置（除湿加湿型放射冷暖房装置）を示す斜視図である。
【図１６】図１６は、本発明の第２実施形態に係る空調装置（カバーを除いた状態）を示す斜視図である。
【図１７】図１７は、前記第２実施形態に係る空調装置を示す平面図である。
【図１８】図１８は、前記第２実施形態に係る空調装置の熱交換チューブを示す水平断面図である。
【図１９】図１９は、前記第１乃至第２実施形態に係る除湿加湿型放射冷暖房装置の年間を通じた運転状態を示す概念図である。
【発明を実施するための形態】
【００３０】
〔第１実施形態〕
図１から図１３に示すように本発明の第１の実施形態に係る空調装置（除湿加湿型放射冷暖房装置）１１は、室内空気との熱交換ならびに放射による冷暖房を行う熱交換器１５を含む装置本体部と、この装置本体部の前面側を覆う網状のカバー（以下「網状カバー」又は単に「カバー」と称する）３１とを有し、装置本体部は、熱交換器１５を構成する複数本の熱交換チューブ１５ａと、これらのチューブ１５ａに熱媒（暖房運転時には温水、冷房運転時には冷水）を供給する配管を備えている。
【００３１】
〔装置本体部〕
より詳しくは、図１から図３に示すように熱交換チューブ１５ａは、上下両端部を閉塞した扁平な（長板状の）ステンレス鋼管からなり、床１と天井２との間に固定した一対の支持板１２，１３の間に、かつ、装置上部に水平に配した上部連結管１６と、装置下部に同じく水平に配した下部連結管１７との両側にそれぞれ対をなすように配列させてある。また各チューブ１５ａと上部連結管１６および下部連結管１７とは、熱媒である冷温水（温水又は冷水）を循環させることが出来るよう互いに連通させてある。
【００３２】
上下各連結管１６，１７の両側には、管内に通じる複数の連通孔２３を備える一方、チューブ１５ａ側には、上下各端部近傍位置の内側縁部を切り欠いて形成した切欠孔（図示せず）を設け、これら連通孔２３および切欠孔を通じて連結管１６，１７とチューブ１５ａの内部との間に自由に冷温水が流通できかつ外部に冷温水が漏れることがないよう水密状態にチューブ１５ａと連結管１６，１７とを溶接し接続してある。
【００３３】
上部連結管１６は、熱源からの温水および冷熱源からの冷水を給水配管（図示せず）を通じて装置に導入するための導入部１８と、チューブ１５ａ内を通した冷温水を戻り配管（図示せず）を通じてボイラーや地下水供給施設などの熱媒供給部（図示せず）に戻すための送出部１９を備える。また、上部連結管１６の内部には、図２に示すように、連結管両端部を閉塞する端壁２１に加え、導入部１８側の数枚（例えば４枚）のチューブ分の長さを仕切る隔壁２２を連結管中間部に設け、この隔壁２２に遮られて導入部１８から装置内に流入した冷温水は、送出部１９側に短絡的に流れることなく、当該数枚のチューブ１５ａの内部を下部連結管１７に向け下方に流れ下る。
【００３４】
一方、下部連結管１７も同様にその両端部を端壁２１によって閉塞してあるが、連結管中間部には隔壁を備えない。したがって前記導入部１８側のチューブ１５ａ内を下降して連通口２３から下部連結管１７内に流入した冷温水は、下部連結管１７内を送出部１９側に（図２の右方に）進み、下部連結管１７の左右側面に設けられた連通孔２３を通じて送出部１９側のチューブ１５ａの内部に再び浸入する。そして、これらのチューブ１５ａ内を上部連結管１６に向け上昇して上部連結管１６の両側面の連通孔２３を通じて再び上部連結管１６の中に浸入し、送出部１９に接続された戻り配管（図示せず）を通って熱媒供給部に戻される。
【００３５】
さらに冷房運転時には、熱交換チューブ１５ａの表面に結露水を生じさせ、これを集めて排水することにより除湿を同時に行うことが可能である。この結露水を集めて排水するため、熱交換チューブ１５ａの下部にはドレンパン１４を備え、各チューブ１５ａの表面から流れ落ちる結露水を受け止め、底面に設けた排水口１４ａからドレンパン１４内の水を排出可能としてある。
【００３６】
〔カバー・加湿用給水管〕
他方、網状カバー３１は、この実施形態では方形の全体形状を有し、図４および図６に示すように一定の間隔を隔てて平行に延びる複数の棒状部材３１ａ，３１ｂを縦横に（垂直方向と水平方向とに）直交するように配置した格子構造を有する。すなわち、一定の間隔を隔てて互いに平行に垂直に延在する複数の棒状部材３１ａと、一定の間隔を隔てて互いに平行に水平に延在する複数の棒状部材３１ｂとを組み合わせることにより、上下左右に２次元的に配列されるように開口（網目）を形成する。また、本実施形態の空調装置１１では当該網状カバー３１に加湿用の水を供給する給水管４１を更に備える。
【００３７】
カバー３１は、熱交換器１５と一定の間隔を隔てて熱交換器１５の前方位置（図１〜図３の座標軸参照）に垂直に立てるように設置し、熱交換器１５を覆って冷房時に室内側への結露水５（図５Ａ参照）の飛散を防ぐとともに、在室者と熱交換器１５との間に介在することで冷暖房を和らげる機能を果たす。
【００３８】
また、熱交換器の表面を覆う上記カバー３１は、そのデザイン（例えば格子パターンや色彩、材質・質感等）を様々なものとすることが出来るから、居住スペースや商業スペースの空間デザインを行う場合に、上記カバー３１を当該デザインコンセプトに沿ったものとすることにより、空間デザインの構築に空調装置を積極的に利用することが可能となる。このように本発明ないし本実施形態によれば、空調装置が持つ建築インテリア要素としての機能をより一層効果的に発揮させることが出来る。
【００３９】
カバー３１の固定方法としては、梁や柱、壁面、天井、床等の建物構造体に対して、例えばボルトや適当な支持金具などを使用して熱交換器１５の前面を覆うようにカバー３１を固定すれば良い。
【００４０】
また、カバー３１に加湿用の水を供給する給水管４１は、図４〜図７に示すように、カバー３１の上縁に沿って水平に延在するように配置し、下面に一定の間隔を隔てて穿設した複数の給水孔４２を備えてこれらの給水孔４２を通じてカバー３１の上縁部へ水を滴下する。滴下された加湿用の水６（図５Ｂ参照）は、熱交換器１５によって暖められたカバー３１を伝って流れ下るうちに蒸発し、これにより室内に水分を供給することが出来る。また本装置１１では、熱交換器１５に対応してこれを覆うカバー３１も比較的広い面積を有するものとすることが出来るから、従来の加湿器のように加湿用の水を加熱するヒータや超音波振動を加える駆動装置などを備える必要がなく、自然な蒸発によって加湿を行い室内の湿度調節を行うことが出来る。
【００４１】
なお、上記給水管４１への水の供給は、例えば給水管４１をバルブ等の開閉手段を介して水道管に接続することによって行っても良いし、本空調装置１１に加湿用の水を溜める貯水槽を備えてこの貯水槽から給水管４１へ水を供給するようにしても良い。
【００４２】
さらに、カバー３１は、これを形成する棒状又は紐状の部材の硬さ或いは柔軟性によって、全体として剛性がある板状のカバーとすることも出来るし、カバー全体が柔軟性を有する布状のカバーとすることも可能である。
【００４３】
カバー３１の具体的な構造としては、前記図６に示した例以外にも、例えば次のような構造が考えられる。
（１）図８のように網戸のように剛性を有する額縁状のフレーム部材３３の内側に紐状部材（例えば金属ワイヤ）３４を縦横に張り渡したものとする。
（２）簾状の構造、すなわち、図９に示すように水平方向（左右方向）に延在する複数の細長い棒状の部材３５ｂを、一定の間隔を隔てて垂直方向（上下方向）に配列されるように垂直方向に延びる柔軟性のある紐状部材３５ａによって繋いだ構造とする。この構造によれば、当該カバー３５をブラインド乃至ロールスクリーンのように上方に巻き上げ或いは折り畳めるようにすることが出来る。
（３）上記（２）の構造とは逆に、図１０に示すように垂直方向に延びる複数の細長い棒状部材３６ａを、一定の間隔を隔てて水平方向に配列されるように水平方向に延在する柔軟性のある紐状部材３６ｂによって繋いだ構造とする。このような構造によれば、カバー３６を左右方向に畳めるようにすることが出来る。
（４）図１１に示すように一定の間隔を隔てて平行に延在する複数本の紐状部材３８を、縦横に交差するように配置した構造とする。このような構造によれば、カバー３７を全体として柔軟なカーテンのように構成することができ、カーテンレールのようなレール部材で熱交換器の前方に吊り下げれば、カーテンのように開閉可能なカバーを構成することが出来る。
（５）図１２に示すように、網目開口を備えた板状の縦長のカバー要素３９ａを複数枚ヒンジや柔軟性のある接合部材（図示せず）により水平方向に並べて連結していくことによりカバー３９を形成する。このような構造によれば、折戸のように折り畳めるカバー３９を構成することが出来る。この場合、カバー３９の上部には、前記（４）の構造と同様にレール４０を備え、このレール４０を走行可能な金具によって各カバー要素３９ａを吊り下げるように支持すれば良い。また、当該レール４０の内部に加湿用の給水管を備え、各カバー要素３９ａに対して加湿水を供給することも可能である。
（６）金網のように針金状の部材を編んだ構造とする。カバー（編んだ針金）の周囲にはフレーム部材を適宜備えても良い。
【００４４】
図１３〜図１４は給水管の別の構成例を示すものである。この給水管４５は、管壁に多数（複数）の小孔（給水孔）４２を備えた管本体部４６と、この管本体部４６を覆う透水性の被覆材４７とからなるもので、管内の水が給水孔４２を通じて被覆材４７に供給され、被覆材４７の表面から水がしみ出すようにしたものである。このような給水管４５と、例えば前記（２）の簾状のカバー構造を採用すれば、図１４に示すようにカバー３５の上縁部を給水管４５に巻きつけ、例えば針金４８で留めることによりカバー３５を給水管４５に支持させることが可能であり、カバー３５の支持とカバー３５への給水を当該給水管４５によって同時に達成することが出来る。
【００４５】
〔第２実施形態〕
本発明の第２実施形態に係る空調装置（除湿加湿型放射冷暖房装置）は、熱交換器（熱交換チューブ）の形状が前記第１実施形態と異なり、これに合わせてカバーの形状を異ならせたものである。
【００４６】
具体的にはこの実施形態の熱交換チューブ１５ａは、図１５〜図１８に示すように垂直方向に延びる断面円形の金属パイプ２５と、この金属パイプ２５の外周面から周囲に放射状に広がる金属線群２６からなる。この金属線群２６は、多数の金属線を金属パイプ２５の外周面に溶接することにより設置してあり、金属パイプ２５を取り囲むこの網状の金属線群２６が金属パイプ２５と共に、前記第１実施形態の熱交換チューブと同様の機能（熱交換、放射および除湿）を果たす。
【００４７】
本実施形態では、上記熱交換チューブ１５ａを複数本（この例では１７本）半円状に並べて配置するとともに、各チューブ１５ａ（金属パイプ２５）の上端を上部連結管１６に、下端を下部連結管１７にそれぞれ接続した。また、上部連結管１６には、熱媒供給部からの熱媒を熱交換器１５に導入する導入部１８と、各チューブ１５ａ内を流通させた熱媒を熱媒供給部へ戻す送出部１９とを設け、ボイラーなどの熱媒供給部から送られる熱媒（温水及び冷水）は、導入部１８から上部連結管１６に導入され、各チューブ１５ａを流れた後、送出部１９から熱媒供給部へと送り出される。なお、上部連結管１６の内部には、導入部１８から流入した冷温水が各チューブ１５ａ内を通って送出部１９に向けスムーズに流れるよう前記第１実施形態と同様に隔壁２２（図１７参照）を設けてある。
【００４８】
一方、熱交換器１５を覆う網状カバー３１は、本実施形態では、熱交換器１５の形状に合わせて熱交換器１５を取り囲むように半円状に形成した。なお、図１５では、実際には網状カバー３１を透して熱交換器１５等の装置本体部がカバー３１の奥に見えることとなるが、同図では分かりにくくなるためカバー３１の背後は描いていない。また、本実施形態においても、前記第１実施形態で記載したのと同様に、カバー３１の上部位置に給水管を備えて加湿機能を付加したり、カバー３１を折畳み可能に或いは柔軟に構成するとともにカーテンのようにレールに支持することによりカバー３１を可動式（開閉可能）にすることが可能である。
【００４９】
また、図１９は前記第１乃至第２実施形態に係る除湿加湿型放射冷暖房装置の年間を通じた運転状態を示すものであるが、同図に示すように実施形態の冷暖房装置によれば、冬期には送水温度（熱交換器に供給する温水の温度）を高くして暖房と加湿を行い、夏期には送水温度（熱交換器に供給する冷水の温度）を低くして冷房と除湿を行う。さらに、当該冷暖房装置は、送水温度２０℃以上で暖房運転、１９℃以下で冷房運転が可能であり、中間期（春・秋）においても冷暖房を行うことが出来る。また、中間期における送水温度である１８℃〜１９℃や２０℃〜２１℃の温度帯は、排熱や地下水など、未利用の排熱エネルギーや自然エネルギー（低密度エネルギー）を有効に利用することが可能で、省エネルギーおよび環境への負荷軽減の観点からも本装置は優れた冷暖房システムとなっている。また、夏期と冬期、さらに春秋の中間期と、年間を通じて連続的に温度・湿度両面から快適な屋内空間を創造し維持することが出来る非常に機能的な冷暖房装置である。
【００５０】
さらに、前記第１実施形態の装置と前記第２実施形態の装置とを比較した場合、熱交換チューブの構造に起因し、高い放射冷暖房機能を得るには、長板状の扁平なステンレス鋼管からなる熱交換チューブを備えた第１実施形態の装置のほうが第２実施形態の装置より有利であり、高い除湿機能を得るには、金属パイプを取り囲む網状の金属線群を備えた第２実施形態の装置のほうが第１実施形態の装置より有利である。
【００５１】
したがって、例えば、高い放射冷暖房機能を得たい場合には第１実施形態の装置を使用し、放射冷暖房機能はそれほど必要とせず寧ろ高い除湿機能を得たい場合（例えば寝室など）には第２実施形態の装置を使用するなど、設置場所に応じて前記実施形態の装置を使い分けることで、建物内の各室内空間に最適な冷暖房環境を提供することも可能である。
【００５２】
以上、図面に基づいて本発明の実施の形態について説明したが、本発明はこれらに限定されるものではなく、特許請求の範囲に記載の範囲内で種々の変更を行うことができることは当業者に明らかである。
【００５３】
例えば、カバーに形成する網目開口の形状は、図示した実施形態（図４、図６、図８〜図１２及び図１５）ではいずれも方形（正方形又は長方形）であるが、この形状は、三角形や六角形その他の多角形、円形や楕円形など様々な形状であって良い。また、前記実施形態では、棒状ないし紐状の部材を組み合わせることによりカバー（網目）を形成したが、平板状の部材（例えば金属板）を打ち抜いて網目開口を形成し、本発明に言うカバーを構成することも可能である。さらに、前記第２実施形態では、熱交換チューブを半円状に並べて配置したが、円形状に並べたり直線状に並べるなど様々な配置形態を採ることが出来る。
【００５４】
また、前記第１実施形態では、熱交換器の前側のみにカバーを備えたが、例えば、居室空間を仕切る間仕切りのように当該空調装置を設置する場合には、熱交換器の前側と後側の両側にカバーを備えても良い。一方、このような間仕切り的な使用態様を採る場合に、前記第１実施形態のように前側又は後側の一方にのみカバーを備えることとすれば、空調装置を挟んで前後各側に異なる冷暖房空間を、すなわち、カバーを備えた側には冷暖房を緩和した（冷暖房を抑えた）空間を、また、カバーを備えない側には通常の冷暖房空間をそれぞれ形成することが可能となる。
【００５５】
さらに、上記のように熱交換器の前後各側で異なる冷暖房空間を実現しようとする場合、冷房運転時の結露水の跳ねをも防ぐ観点からは、カバー装着の有無ではなく、カバーの網目の粗さ、又はカバーを構成する材料の熱伝導率差によること、すなわち、冷暖房を緩和したい側には、比較的網目の細かいカバー又は熱伝導率の低い材料からなるカバーを設置し、十分な冷暖房を得たい側には比較的網目の粗いカバー又は熱伝導率の高いカバーを設置するようにしても良い。このような態様によれば、熱交換器を挟んだ両空間について結露水の飛散を防ぎつつ、環境の異なる２つの冷暖房空間を創出することが出来る。
【符号の説明】
【００５６】
１  床
２  天井
３  壁
５  結露水
６  加湿用水
１１  除湿加湿型放射冷暖房装置
１２，１３  支持板
１４  ドレンパン
１４ａ  排水口
１５  熱交換器
１５ａ  熱交換チューブ
１６  上部連結管
１７  下部連結管
１８  導入部
１９  送出部
２１  端壁
２２  隔壁
２３  連通孔
２５  金属パイプ
２６  金属線群
３１，３２，３５，３６，３７，３９  網状カバー
３１ａ  網状カバー（網目）を形成する垂直方向の部材
３１ｂ  網状カバー（網目）を形成する水平方向の部材
３３  フレーム部材
３４，３５ａ，３６ｂ，３８  紐状部材
３５ｂ，３６ａ  棒状部材
３９ａ  カバー要素
４０  レール
４１，４５  加湿用給水管
４２  給水孔
４６  管本体部
４７  透水性被覆材
４８  針金
【図１】
2014020648.tif 000003
【図２】
2014020648.tif 000004
【図３】
2014020648.tif 000005
【図４】
2014020648.tif 000006
【図５Ａ】
2014020648.tif 000007
【図５Ｂ】
2014020648.tif 000008
【図６】
2014020648.tif 000009
【図７】
2014020648.tif 000010
【図８】
2014020648.tif 000011
【図９】
2014020648.tif 000012
【図１０】
2014020648.tif 000013
【図１１】
2014020648.tif 000014
【図１２】
2014020648.tif 000015
【図１３】
2014020648.tif 000016
【図１４】
2014020648.tif 000017
【図１５】
2014020648.tif 000018
【図１６】
2014020648.tif 000019
【図１７】
2014020648.tif 000020
【図１８】
2014020648.tif 000021
【図１９】
2014020648.tif 000022